(57)【特許請求の範囲】
【請求項１】
上下の横框と左右の縦框とを縦長矩形枠状に接合して島設備の上横固定部材と下横固定部材との間に固定される機枠と、該機枠の前面に開閉可能に取り付けられ、遊技盤が装着される前面枠と、を備えた遊技機において、
前記機枠を構成する前記横框および縦框の対応する端部同士をそれぞれ接合させるための複数の接続部材を設け、
前記接続部材は、前記横框または縦框と嵌合可能な嵌合部または被嵌合部を備える一方、
前記横框および縦框は、それぞれの端部に前記接続部材の嵌合部または被嵌合部と嵌合可能な被嵌合部または嵌合部を備え、
前記接続部材の嵌合部または被嵌合部と前記横框および縦框の被嵌合部または嵌合部とを嵌合させることで、前記横框または縦框と前記接続部材の相対移動を規制しつつ前記横框と前記縦框とを接合するものであって、
前記横框または縦框の何れかの框は、端部に前記被嵌合部として挿通孔を備え、
前記接続部材は、接合される前記横框または縦框に形成された前記挿通孔に挿通可能な突出部を備え、
前記挿通孔に前記突出部が挿通するように、対応する前記横框または縦框に前記接続部材を取り付けることで、当該接続部材と前記横框または縦框との相対移動が規制されることを特徴とする遊技機。
【請求項２】
前記縦框または横框の何れかの框は、前記被嵌合部として当該框の長手方向に沿って形成された溝部および端部に形成された係合受部を備え、
前記接続部材は、前記横框と縦框の接合部に対応した略Ｌ字状に形成され、前記嵌合部として前記何れかの框に形成された溝部に挿入可能なスライド部および前記係合受部に対応した位置に係合突部が形成され、
前記スライド部が前記溝部に挿入され、前記係合突部が前記係合受部に係合もしくは当接することで、当該接続部材と前記縦框または横框との相対移動が規制されることを特徴とする請求項１に記載の遊技機。
【発明の詳細な説明】
【技術分野】
【０００１】
本発明は、上下の横框と左右の縦框とを縦長矩形枠状に接合して島設備の上横固定部材と下横固定部材との間に固定される機枠と、該機枠の前面に開閉可能に取り付けられ遊技盤を保持する前面枠とを備えた遊技機に関する。
【背景技術】
【０００２】
従来のパチンコ機においては、遊技店の島設備に固定される機枠（外枠）に、前面枠（内枠）を開閉可能に支持するための上部の支持金具を左縦枠板の内周面を基準として取り付け、さらにこの支持金具に荷重受け用の補強突片を形成して、接合する左縦枠板と上横枠板の間に介在させるとともに、この補強突片を基準に、Ｌ字状に形成された支持金具を、ネジによって上横枠板と左縦枠板に取り付けることにより荷重が集中するのを回避するとともに、支持金具の取付強度を確保するようにしたものが提供されている（例えば、特許文献１）。
【先行技術文献】
【特許文献】
【０００３】
【特許文献１】特開２００３−９３６８７号公報
【発明の概要】
【発明が解決しようとする課題】
【０００４】
しかしながら、上記特許文献１のような構造を有する外枠にあっては、矩形状の枠体のコーナーとなる箇所に支持金具を取り付ける際に、単なるネジ止めにより外枠の剛性を保持するようになっているため、このネジがゆるむと剛性が担保されなくなって外枠の機能自体が破綻を来たすこととなる。
【０００５】
そこで、このような外枠の剛性を担保するために、支持金具を大きいものとしたり、支持金具を取り付ける際の締め付けネジの数を増やしたりすることが考えられるが、そのようにすると、金具の大型化やネジ数の増加によりコストがかさむとともに、このネジ数の増加に伴い、下穴加工の増加を余儀なくされ、結果的に外枠や各部材の強度の低下を招くことが容易に想像される。
【０００６】
また、近年では、従来は遊技機ごとにそれぞれ設けられていた外枠（機枠）の共通化という動きが出ており、この共通化が実現された場合には、島設備に対して遊技機の外枠を設置した後に長期間に亘って同一の外枠が使用され続ける（設置される機種のメーカーが異なっても、外枠は同じものがそのまま使用される）こととなり、従来にも増して歪みや疲労の発生に対する対抗力が外枠に要求され、外枠の強度、剛性、耐久性の担保の必要性が高くなるという課題が生じてくる。
【０００７】
本発明は、上記のような課題を解決するためになされたもので、上下の横框と左右の縦框とを縦長矩形枠状に接合して島設備の上横固定部材と下横固定部材との間に固定される機枠と、該機枠の前面に開閉可能に取り付けられ遊技盤が装着される前面枠とを備えた遊技機において、より簡単な構造で機枠の剛性を担保して耐久性を高めることができる技術を提供することを目的とする。
【課題を解決するための手段】
【０００８】
上記目的を達成するため、請求項１に記載の発明は、
上下の横框と左右の縦框とを縦長矩形枠状に接合して島設備の上横固定部材と下横固定
部材との間に固定される機枠と、該機枠の前面に開閉可能に取り付けられ、遊技盤が装着される前面枠と、を備えた遊技機において、
前記機枠を構成する前記横框および縦框の対応する端部同士をそれぞれ接合させるための複数の接続部材を設け、
前記接続部材は、前記横框または縦框と嵌合可能な嵌合部または被嵌合部を備える一方、
前記横框および縦框は、それぞれの端部に前記接続部材の嵌合部または被嵌合部と嵌合可能な被嵌合部または嵌合部を備え、
前記接続部材の嵌合部または被嵌合部と前記横框および縦框の被嵌合部または嵌合部とを嵌合させることで、前記横框または縦框と前記接続部材の相対移動を規制しつつ前記横框と前記縦框とを接合するものであって、
前記横框または縦框の何れかの框は、端部に前記被嵌合部として挿通孔を備え、
前記接続部材は、接合される前記横框または縦框に形成された前記挿通孔に挿通可能な突出部を備え、
前記挿通孔に前記突出部が挿通するように、対応する前記横框または縦框に前記接続部材を取り付けることで、当該接続部材と前記横框または縦框との相対移動が規制されることを特徴とする。
【０００９】
請求項１に記載の発明によれば、横框または縦框と嵌合可能な嵌合部または被嵌合部を備えた接続部材を設け、接続部材の嵌合部または被嵌合部と横框および縦框の被嵌合部または嵌合部とを嵌合させることで、横框または縦框と接続部材の相対移動を規制しつつ横框と縦框とを接合するという構成であるため、比較的簡単な構造で、機枠の組み付け状態を維持することができるとともに、機枠全体の歪みを規制することができる。また、外枠共通化に伴う長期運用等による外枠の疲労による框同士の緩みを抑えることができる。さらに、接続部材と各框の嵌合部と被嵌合部との嵌合による接合に加え、従来と同様なネジによる締め付けを行うことによって、横框と縦框とをさらに強固に接合することが可能になる。
また、請求項１に記載の発明によれば、横框または縦框の何れかの框に被嵌合部としての挿通孔が設けられ、接続部材には、接合される横框または縦框に形成された前記挿通孔に挿通可能な突出部が設けられ、挿通孔に突出部が挿通するように、対応する横框または縦框に接続部材を取り付けることで、接続部材および対応する横框または縦框との相対移動が規制されるので、簡単な構造で接続部材とこれに接続される框の相対移動を規制することができる。
【００１０】
請求項２に記載の発明は、請求項１に記載の遊技機において、
前記縦框または横框の何れかの框は、前記被嵌合部として当該框の長手方向に沿って形成された溝部および端部に形成された係合受部を備え、
前記接続部材は、前記横框と縦框の接合部に対応した略Ｌ字状に形成され、前記嵌合部として前記何れかの框に形成された溝部に挿入可能なスライド部および前記係合受部に対応した位置に係合突部が形成され、
前記スライド部が前記溝部に挿入され、前記係合突部が前記係合受部に係合もしくは当接することで、当該接続部材と前記縦框または横框との相対移動が規制されることを特徴とする。
【００１１】
請求項２に記載の発明によれば、横框または縦框の何れかの框に長手方向に沿った溝部形成され、接続部材は略Ｌ字状に形成され前記嵌合部として前記横框または縦框に形成された溝部に挿入可能なスライド部が形成されているため、溝部にスライド部を挿入することで容易に横框または縦框に接続部材を装着できるとともに、横框または縦框の何れかに係合受部を設け接続部材に係合受部に対応した係合突部を設けているため、簡単な構造で接続部材の下方または上方及び前後左右方向への相対移動を規制することができる。
【発明の効果】
【００２６】
本発明によれば、上下の横框と左右の縦框とを縦長矩形枠状に接合して島設備の上横固定部材と下横固定部材との間に固定される機枠と、該機枠の前面に開閉可能に取り付けられ遊技盤が装着される前面枠とを備えた遊技機において、より簡単な構造で機枠の剛性を担保して耐久性を高めることができるという効果がある。
【図面の簡単な説明】
【００２７】
【図１】本発明を適用した遊技機が取り付けられた遊技店の島設備の構成を示す正面図である。
【図２】遊技機を取り外した状態の島設備の構成を示す斜視図である。
【図３】実施形態の遊技機における機枠としての外枠と、該外枠の前面に開閉可能に取り付けられる前面枠との関係を示す斜視図である。
【図４】実施形態における外枠の詳しい構造を示す正面図および斜視図である。
【図５】実施形態における外枠の詳しい構造を示す前面斜め右上から見た分解斜視図である。
【図６】実施形態における外枠の詳しい構造を示す前面斜め左上から見た分解斜視図である。
【図７】実施形態における外枠の左上部分の詳しい構造を示す分解斜視図である。
【図８】実施形態における外枠の上部の詳しい構造を示す断面平面図である。
【図９】実施形態における外枠の上部の詳しい構造を示す断面側面図である。
【図１０】実施形態における外枠の上部の詳しい構造を示す分解斜視図である。
【図１１】実施形態における外枠の組み立て方法を示すもので、ブラケットを縦枠部材（縦框）の上端に装着した状態を示す斜視図である。
【図１２】実施形態における外枠の組み立て方法を示すもので、上横枠部材（横框）を縦枠部材（縦框）の上端に装着した状態を示す斜視図である。
【図１３】実施形態における外枠の組み立て方法を示すもので、上ヒンジ部材を外枠の左上に接合した状態を示す斜視図である。
【図１４】実施形態における外枠の組み立て方法を示すもので、上ヒンジ部材を外枠の左上に装着した状態を示す斜視図である。
【図１５】実施形態における外枠の下部の詳しい構造を示す分解斜視図である。
【図１６】実施形態における外枠の組み立て方法を示すもので、ブラケットおよび下横枠部材（横框）を縦枠部材（縦框）の下端に装着した状態を示す斜視図である。
【図１７】実施形態における外枠の組み立て方法を示すもので、幕板を下横枠部材（横框）の前面に装着した状態を示す斜視図である。
【図１８】実施形態における外枠の組み立て方法を示すもので、下ヒンジ部材を外枠の左下に接合した状態を示す斜視図である。
【図１９】実施形態における外枠の組み立て方法を示すもので、下ヒンジ部材を外枠の左下に装着した状態を示す斜視図である。
【図２０】実施形態の変形例における外枠の左下部分の詳しい構造を示す分解斜視図である。
【図２１】実施形態の変形例における外枠の左上部分の詳しい構造を示す分解斜視図である。
【図２２】実施形態の変形例における外枠の詳しい構造を示す断面側面図である。
【図２３】第２の実施形態を適用した遊技機を示す斜視図である。
【図２４】第２の実施形態における外枠上横框体の構造を示す分解斜視図である。
【図２５】第２の実施形態における外枠上横框体と外枠の左上部分の構造の詳細を示す分解斜視図である。
【図２６】第２の実施形態における外枠上横框体のスライド構造の具体例および変形例を示す要部断面斜視図および要部拡大斜視図である。
【図２７】第２の実施形態における外枠上横框体の詳しい構造を示す断面側面図および断面平面図である。
【図２８】第２の実施形態における外枠上横框体のスライド構造の作用を示す断面側面図および断面平面図である。
【図２９】第２の実施形態における外枠上横框体のスライド構造の作動前と作動後の状態を示す断面側面図である。
【発明を実施するための形態】
【００２８】
以下、図面を用いて本発明の実施形態について説明する。図１は本発明を適用した遊技機が取り付けられる遊技店の島設備の構成を示す正面図、図２は遊技機の外枠のみ取り付け前面枠を取り外した状態の島設備の構成を示す斜視図である。
【００２９】
図１および図２に示すように、遊技機１００が取り付けられる島設備１０は、水平に配置され横方向に延設する膳板１１と、該膳板１１とほぼ同一高さで平行に配設され遊技機１００を載置するための下横固定部材としての下方取付板１２と、遊技機１００の上部を固定するため下方取付板１２と平行に配設された上横固定部材としての桟木１３と、桟木１３の上方に桟木１３の延設方向と同一の方向に沿って若干傾斜するように配設された補給樋１４と、上記膳板１１から下方へ垂下され膳板１１と平行に配設された腰板１５と、下方取付板１２の下方に下方取付板１２の延設方向と同一の方向に沿って上記補給樋１４とは逆向きに下り傾斜するように配設された回収樋１６と、島設備を支える脚部１７などを備える。
【００３０】
また、島設備１０の一端には、景品球を計数する計数機（ジェットカウンタ）を設置する設置台（ＪＣ台）２１と、該計数機へ投入された球および上記回収樋１６により各遊技機１００から回収された球を集め上方へ移送する揚送装置が内部に設置された筐体２２、揚送された球を貯留し上記補給樋１４へ分配する分配装置を内蔵した上タンク２３などが配置されている。
【００３１】
なお、上タンク２３には、隣の島設備との間で貯留する球の量の調整を行うバランス樋（図示省略）の端部を取り付ける樋接続部２３Ａ，２３Ｂが設けられている。このうち高い位置にある樋接続部２３Ａはバランス樋の上流端が接続され上タンク２３内の球を他の島設備へ流出させる球出口として機能し、低い位置にある樋接続部２３Ｂはバランス樋の下流端が接続され上タンク２３内へ他の島設備からの球を流入する球入口として機能する。
【００３２】
図３には、遊技機１００の機枠としての外枠１１０と、該外枠１１０の前面に開閉可能に取り付けられる前面枠１０１との関係が、また図４〜図６には外枠１１０の詳しい構造が示されている。
図３に示すように、前面枠１０１は開口部１０２に臨むように遊技盤（図示省略）を保持するもので、外枠１１０に設けられた支持ピン１１６に係合可能な係合穴を有する支持片１０３を備え、支持ピン１１６に支持片１０３の係合穴を係合させることによって外枠１１０に対して開閉回動可能に組み付けられる。前面枠１０１には、遊技盤の前面を覆うカバーガラス（透明部材）を備えたガラス枠１０４が取り付けられている。
【００３３】
また、ガラス枠１０４の上部には、内部にランプ及びモータを内蔵した照明装置（ムービングライト）１０５や、音響を発するスピーカ（上スピーカ）１０６ａが設けられている。さらに、前面枠１０１の下部にもスピーカ（下スピーカ）１０６ｂが設けられている。また、前面枠１０１の下部には、図示しない打球発射装置に遊技球を供給するとともに遊技機の裏面側に設けられている球払出装置から払い出された遊技球が流出される上皿１０７、上皿１０７が一杯になった状態で払い出された遊技球を貯留する下皿１０８及び打球発射装置の操作部１０９等が設けられている。
【００３４】
以下、本発明に係る遊技機の要旨である外枠１１０について詳しく説明する。
第1実施形態における外枠１１０は、図４〜図６に示すように、それぞれ板状部材からなる横框としての下横枠部材１１１と上横枠部材１１２と左右一対の縦框としての縦枠部材１１３Ａ，１１３Ｂとを備え、前記上横枠部材１１２と縦枠部材１１３Ａ，１１３Ｂとは接続部材としての上ブラケット１１８Ａ，１１８Ｂによって、また下横枠部材１１１と縦枠部材１１３Ａ，１１３Ｂとは下ブラケット１１８Ｃ，１１８Ｄ（図５）によってそれぞれ接続され、全体として縦長矩形枠状に形成されている。
そして、上記下横枠部材１１１の前面には、前面枠１０１を取り付けた際に下皿１０８の下方に生じる隙間を隠すための幕板１５１が装着されている。なお、ブラケット１１８Ａ〜１１８Ｄによる下横枠部材１１１および上横枠部材１１２と縦枠部材１１３Ａ，１１３Ｂとの具体的な接続構造については、後に図７〜図２０を用いて詳しく説明する。
【００３５】
また、左側の縦枠部材１１３Ａの上部および下部には、前記前面枠１０１を回動可能に支持する支持ピン１１６を有する逆Ｌ字状の上ヒンジ部材１１４Ａおよび下ヒンジ部材１１４Ｂが、支持ピン１１６が外枠の前端面よりも若干前方に位置するようにネジによって止着されている。さらに、右側の縦枠部材１１３Ｂの上部および下部には、前面枠１０１が開かないように係止するためのフック部材１５２Ａおよび１５２Ｂがネジによって止着されている。
なお、上ヒンジ部材１１４Ａおよび下ヒンジ部材１１４Ｂは、金属材料で形成され、重量の重い前面枠１０１をしっかりと支持できるとともに、上ヒンジ部材１１４Ａは上横枠部材１１２と縦枠部材１１３Ａとが接合する角部を覆うように接合され、両方にネジ止めされることにより、上横枠部材１１２と縦枠部材１１３Ａとの接続を強固にする機能も有している。
【００３６】
本実施形態では、上記外枠１１０を構成する下横枠部材１１１、上横枠部材１１２および縦枠部材１１３Ａ，１１３Ｂのうち、下横枠部材１１１と上横枠部材１１２は木材を材料として形成される一方、縦枠部材１１３Ａ，１１３Ｂはステンレスあるいはアルミニウムなどの金属材料で形成されている。また、これらを接続するブラケット１１８Ａ〜１１８Ｄは合成樹脂で形成されている。下横枠部材１１１と上横枠部材１１２が木製であることにより、前述した島設備の下方取付板１２と桟木１３が木製である場合に、釘によって、下横枠部材１１１を下方取付板１２に、また、上横枠部材１１２を桟木１３に接合して遊技機の外枠１１０を島設備に固定することが可能となる。なお、縦枠部材１１３Ａ，１１３Ｂについても、木材を材料として形成するようにしてもよい。さらに、上横枠部材１１２には、球貯留タンクとの干渉を防止するため、後端側に該上横枠部材の長手方向に沿った切欠き部１１２ａが形成されている。
【００３７】
次に、ブラケット１１８Ａ，１１８Ｂによる上横枠部材１１２と縦枠部材１１３Ａ，１１３Ｂとの具体的な接合構造について、図７〜図９を用いて説明する。
縦枠部材１１３Ａは、図７に示すように内側面に一対のスライド溝１１３ａ，１１３ｂが縦方向に形成され、上端中央には凹状の係合受部１１３ｃが、また上端から少し離れた位置に止着用のネジが挿通される一対のネジ挿通孔１１３ｄが形成されているとともに、強度を保ちつつ軽量化を図るため一側に沿って中空部１１３ｅが設けられている。
一方、ブラケット１１８Ａは、垂直片部の外側面に縦枠部材１１３Ａのスライド溝１１３ａ，１１３ｂと係合するスライドレール部１１８ａ，１１８ｂが形成されているとともに、水平片部の上面には断面が星形で柱状をなす嵌合部としてのダボ１１８ｃが、また先端部には止着用のネジが螺合される止着孔１１８ｄが形成されている。
【００３８】
また、ブラケット１１８Ａの垂直片部の上端中央には、Ｔ字形をなす係合突部１１８ｅが形成されており、スライドレール部１１８ａ，１１８ｂを縦枠部材１１３Ａのスライド溝１１３ａ，１１３ｂに係合させてブラケット１１８Ａを下方へ移動させたときに、係合突部１１８ｅが縦枠部材１１３Ａ上端の係合受部１１３ｃに係合することで位置決めがなされるとともに、ブラケット１１８Ａの水平片部の先端に押し下げる方向の力が作用した時に生じる曲げ応力に対する剛性を高める作用を奏する。ブラケット１１８Ａの垂直片部の下端部にも止着用のネジが螺合される止着孔１１８ｆが形成されている。なお、ブラケット１１８Ａは基本的に合成樹脂で形成されるが、ダボ１１８ｃや係合突部１１８ｅに関しては、これらを金属製インサート部材として形成してもよい。ブラケット１１８Ｂ〜１１８Ｄについても同様である。
【００３９】
上横枠部材１１２は、先端部に上記ブラケット１１８Ａの上面のダボ１１８ｃと嵌合可能な被嵌合部としてのダボ挿通孔１１２ｅが、またこのダボ挿通孔１１２ｅよりも先端部から離れた位置には止着用のネジが挿通可能な一対のネジ挿通孔１１２ｆが形成されている。さらに、上ヒンジ部材１１４Ａの水平片部の先端部にも止着用のネジが挿通可能な一対のネジ挿通孔１１４ａが形成されており、該ネジ挿通孔１１４ａおよび上横枠部材１１２のネジ挿通孔１１２ｆにネジ１１５ａを挿通して、ブラケット１１８Ａの水平片部の止着孔１１８ｄにネジの先端をねじ込むことによって、上横枠部材１１２とブラケット１１８Ａとを強固に接合できるようになっている。
【００４０】
また、上ヒンジ部材１１４Ａの垂直片部の下端部にも止着用のネジが挿通可能な一対のネジ挿通孔１１４ｂが形成されており、該ネジ挿通孔１１４ｂおよび縦枠部材１１３Ａのネジ挿通孔１１３ｄにネジ１１５ｂを挿通して、ブラケット１１８Ａの垂直片部下端の止着孔１１８ｆにネジの先端をねじ込むことによって、縦枠部材１１３Ａとブラケット１１８Ａとを強固に接合できるようになっている。なお、上ヒンジ部材１１４Ａの折曲部には前方へ突出する突出片１１４ｃが一体に設けられており、該突出片１１４ｃの上面に前面枠を回動可能に支持する支持ピン１１６が植設されることで、該支持ピン１１６が外枠の前端面よりも前方に位置するように構成されている。
【００４１】
上横枠部材１１２と右側の縦枠部材１１３Ｂとの接合は、ヒンジ部材を用いずに、ブラケット１１８Ｂとネジとによって行われるようになっている。ブラケット１１８Ｂは、基本的にはブラケット１１８Ａと左右対称な形状とされており、上横枠部材１１２との接合および縦枠部材１１３Ｂとの接合の仕方は、ブラケット１１８Ａと上横枠部材１１２および縦枠部材１１３Ｂとの接合の仕方と同じであるので、詳しい説明は省略する。
なお、ブラケット１１８Ｂにかかる荷重は、前面枠を支持する上ヒンジ部材１１４Ａが接合されるブラケット１１８Ａにかかる荷重に比べてかなり小さいので、本実施形態ではブラケット１１８Ｂの垂直片部の長さは、ブラケット１１８Ａの垂直片部の長さよりも短くされている。ただし、ブラケット１１８Ｂの垂直片部の長さを長く設定して、後述の左下のブラケット１１８Ｃと同一形状の部品として共用するように構成してもよい。
【００４２】
図８および図９には、ブラケット１１８Ａおよび１１８Ｂによって上横枠部材１１２と縦枠部材１１３Ａおよび１１３Ｂとを接合した外枠の状態を示す。このうち、図８（Ａ）は図８（Ｃ）におけるＡ−Ａ線に沿った断面図、図８（Ｂ）は図８（Ｃ）におけるＢ−Ｂ線に沿った断面図、図９（Ａ）は図９（Ｂ）におけるＣ−Ｃ線に沿った断面図をそれぞれ表している。
【００４３】
図８（Ａ）に示されているように、ブラケット１１８Ａのスライドレール部１１８ａ，１１８ｂは、垂直片部の外側面に縦枠部材１１３Ａのスライド溝１１３ａ，１１３ｂと係合し、ブラケット１１８Ａに設けられているＴ字形の係合突部１１８ｅは、縦枠部材１１３Ａの係合受部１１３ｃに係合している。
【００４４】
また、図８（Ｂ）に示されているように、上ヒンジ部材１１４Ａが、ブラケット１１８Ａが接合した縦枠部材１１３Ａの側面に接合され、一対のネジ１１５ｂが上ヒンジ部材１１４Ａおよび縦枠部材１１３Ａを貫通し、先端がブラケット１１８Ａに螺合されることによって３つの部材が一体に接合されている。
右側のブラケット１１８Ｂによる上横枠部材１１２と縦枠部材１１３Ｂとの接合も、ヒンジ部材がないだけで同様である。図８（Ｂ）にネジ１１５ｂが表れていないのは、前述したように、ブラケット１１８Ｂの垂直片部の長さが、ブラケット１１８Ａの垂直片部の長さよりも短いためである。なお、１１４Ｂは前面枠を支持する下ヒンジ部材、１５１は幕板である。
【００４５】
さらに、図９（Ａ）に示されているように、上ヒンジ部材１１４Ａが、ブラケット１１８Ａが接合した上横枠部材１１２の上面に接合され、一対のネジ１１５ａが上ヒンジ部材１１４Ａおよび上横枠部材１１２を貫通し、先端がブラケット１１８Ａに螺合されることによって３つの部材が一体に接合されている。ブラケット１１８Ｃによる下横枠部材１１１と縦枠部材１１３Ａ，１１３Ｂとの接合については、後に説明する。
【００４６】
図９（Ａ）より、上ヒンジ部材１１４Ａおよび下ヒンジ部材１１４Ｂに設けられている支持ピン１１６が、縦枠部材１１３Ａの前端すなわち外枠１１３の前端よりも前方に位置するように上ヒンジ部材１１４Ａおよび下ヒンジ部材１１４Ｂが構成されていることが分かる。このように、支持ピン１１６が外枠１１３の前端よりも前方に位置することにより、比較的厚みのある前面枠を回動可能に支持することが可能となる。また、上ヒンジ部材１１４Ａと下ヒンジ部材１１４Ｂに設けられている支持ピン１１６は共に上向きに植設されている。これにより、比較的重量のある前面枠のピン穴を支持ピン１１６に容易に係合させることができる。
【００４７】
次に、ブラケット１１８Ａ，１１８Ｂによる上横枠部材１１２と縦枠部材１１３Ａ，１１３Ｂとの接合の方法について、図１０〜図１４を用いて説明する。
先ず、図１０に示すように、ブラケット１１８Ａおよび１１８Ｂのそれぞれに設けられているスライドレール部１１８ａ，１１８ｂを縦枠部材１１３Ａ，１１３Ｂのスライド溝１１３ａ，１１３ｂに係合させて、ブラケット１１８Ａ，１１８Ｂを下方へ移動させる。
【００４８】
続いて、図１１に示すように、ブラケット１１８Ａおよび１１８Ｂのそれぞれに設けられている柱状のダボ１１８ｃに、上横枠部材１１２のダボ挿通孔１１２ｅを係合させるようにして、上横枠部材１１２をブラケット１１８Ａ，１１８Ｂの上面に接合し、止着用のネジ１１５ｃを上横枠部材１１２の右側のネジ挿通孔１１２ｆに挿通し、ネジの先端をブラケット１１８Ｂの止着孔１１８ｄにねじ込む。また、止着用のネジ１１５ｄを縦枠部材１１３Ｂの右方向から挿入し、ブラケット１１８Ｂの側面の止着孔にねじ込む。
【００４９】
その後、図１２に示すように、上横枠部材１１２と縦枠部材１１３Ａとの接合角部の外側に上ヒンジ部材１１４Ａを接合させ、左側方から止着用のネジ１１５ｂを上ヒンジ部材１１４Ａのネジ挿通孔１１４ｂおよび縦枠部材１１３Ａのネジ挿通孔１１３ｄに挿通し、ネジの先端をブラケット１１８Ａの止着孔１１８ｆにねじ込む。
また、図１３に示すように、上方から止着用のネジ１１５ａを上ヒンジ部材１１４Ａのネジ挿通孔１１４ａおよび上横枠部材１１２の左側のネジ挿通孔１１２ｆに挿通し、ネジの先端をブラケット１１８Ａの止着孔１１８ｄにねじ込む。以上の作業によって、図１４に示すように、ブラケット１１８Ａ，１１８Ｂと上ヒンジ部材１１４Ａとにより上横枠部材１１２と縦枠部材１１３Ａ，１１３Ｂとが接合された状態となる。
【００５０】
次に、ブラケット１１８Ｃ，１１８Ｄによる下横枠部材１１１と縦枠部材１１３Ａ，１１３Ｂとの接合の方法について、図１５〜図１９を用いて説明する。
先ず、図１５に示すように、ブラケット１１８Ｃおよび１１８Ｄを、それぞれに設けられているスライドレール部１１８ａ，１１８ｂを縦枠部材１１３Ａ，１１３Ｂのスライド溝１１３ａ，１１３ｂに係合させて、ブラケット１１８Ａ，１１８Ｂを上方へ移動させる。これにより、ブラケット１１８Ｃおよび１１８Ｄが縦枠部材１１３Ａ，１１３Ｂの下端に装着される。
【００５１】
続いて、ブラケット１１８Ｃおよび１１８Ｄにそれぞれ設けられているダボ１１８ｃに、下横枠部材１１１のダボ挿通孔１１１ｅを係合させるようにして、下横枠部材１１１をブラケット１１８Ｃ，１１８Ｄの下面に接合し、止着用のネジ１１５ｆを下横枠部材１１１の左側のネジ挿通孔１１１ｆに挿通し、ネジの先端をブラケット１１８Ｃの止着孔１１８ｄにねじ込む。また、止着用のネジ１１５ｇを下横枠部材１１１の右側のネジ挿通孔１１１ｆに挿通し、ネジの先端をブラケット１１８Ｄの止着孔１１８ｄにねじ込む。これにより、図１６に示すように、下横枠部材１１１がブラケット１１８Ｃ，１１８Ｄを介して縦枠部材１１３Ａ，１１３Ｂと接合される。
【００５２】
その後、下横枠部材１１１の前端に幕板１５１を接合し、下方より止着用のネジ１１５ｅを下横枠部材１１１に設けられているネジ挿通孔１１１ｇに挿通し、幕板１５１の下面にねじ込む。これにより、図１７に示すように、下横枠部材１１１の前端に幕板１５１が取り付けられる。続いて、図１８に示すように、縦枠部材１１３Ａの下部側面に下ヒンジ部材１１４Ｂの垂直片を接合させる。そして、左側方から止着用のネジ１１５ｈを下ヒンジ部材１１４Ｂのネジ挿通孔１１４ｃおよび縦枠部材１１３Ａの下端部のネジ挿通孔１１３ｆに挿通し、ネジの先端をブラケット１１８Ｃの止着孔１１８ｅにねじ込む。
【００５３】
さらに、左側方から止着用のネジ１１５ｉを下ヒンジ部材１１４Ｂのネジ挿通孔１１４ｄに挿通し、先端を幕板１５１の止着孔１５１ａにねじ込む。これによって、図１９に示すように、下ヒンジ部材１１４Ｂが縦枠部材１１３Ａおよび幕板１５１に接合された状態となる。また、右側の縦枠部材１１３Ｂについても、止着用のネジ１１５ｊを下端部のネジ挿通孔１１３ｇに挿通し先端をブラケット１１８Ｄの止着孔１１８ｅにねじ込む。さらに、右側方から止着用のネジ１１５ｋを縦枠部材１１３Ｂのネジ挿通孔１１３ｈに挿通し、先端を幕板１５１の止着孔（図示省略）にねじ込む。これによって、幕板１５１が縦枠部材１１３Ｂに対しても固定される。
【００５４】
なお、幕板１５１を止着用のネジ１１５ｉで下ヒンジ部材１１４Ｂに固定する代わりに、下ヒンジ部材１１４Ｂと縦枠部材１１３Ａを接合する止着用のネジ１１５ｈで幕板１５１を同時に固定するように構成してもよい。
また、止着用のネジ１１５ｉおよび１１５ｋは、外枠１１０の外側からではなく、内側から縦枠部材１１３Ａと１１３Ｂに設けたネジ挿通孔に挿通して幕板１５１にねじ込むことで取り付けるように構成してもよい。これにより、幕板１５１を交換可能に構成した場合に、前面枠が閉じた状態でネジ１１５ｅや１１５ｉおよび１１５ｋを緩めて幕板１５１を外して遊技機裏面の制御装置や電子部品に対する不正が行われるのを防止することができる。幕板１５１が損傷したり劣化したりして交換をしたい場合には、前面枠を開いて内側のネジを外すことで交換可能となる。幕板１５１の下側を下横枠部材１１１に固定するネジ１１５ｅも同様に、外枠１１０の内側から取り付け可能に構成してもよい。
【００５５】
以上の説明から、上記実施形態には、上下の横框（上横枠部材および下横枠部材）と左右の縦框（縦枠部材）を縦長矩形枠状に接合して島設備の上横固定部材と下横固定部材との間に固定される機枠と、該機枠の前面に開閉可能に取り付けられ、遊技盤が装着される前面枠と、を備えた遊技機において、
前記機枠を構成する前記横框および縦框の対応する端部同士をそれぞれ接合させるための複数の接続部材としてのブラケットを設け、前記接続部材は、前記横框または縦框と嵌合可能な嵌合部または被嵌合部を備える一方、前記横框および縦框は、それぞれの端部に前記接続部材の嵌合部または被嵌合部と嵌合可能な被嵌合部または嵌合部を備え、前記接続部材の嵌合部または被嵌合部と前記横框および縦框の被嵌合部または嵌合部とを嵌合させることで、前記横框または縦框と前記接続部材の相対移動を規制しつつ前記横框と前記縦框とを接合する発明が含まれることが分かる。
【００５６】
そして、上記発明によれば、横框または縦框と嵌合可能な嵌合部または被嵌合部を備えた接続部材を設け、接続部材の嵌合部または被嵌合部と横框および縦框の被嵌合部または嵌合部とを嵌合させることで、横框または縦框と接続部材の相対移動を規制しつつ横框と縦框とを接合するという構成であるため、比較的簡単な構造で、機枠の組み付け状態を維持することができるとともに、機枠全体の歪みを規制することができる。また、外枠共通化に伴う長期運用等による外枠の疲労による框同士の緩みを抑えることができる。さらに、接続部材と各框の嵌合部と被嵌合部との嵌合による接合に加え、従来と同様なネジによる締め付けを行うことによって、横框と縦框とをさらに強固に接合することが可能になる。
【００５７】
また、上記実施形態には、前記縦框または横框の何れかの框は、前記被嵌合部として当該框の長手方向に沿って形成された溝部および端部に形成された係合受部を備え、前記接続部材は、前記横框と縦框の接合部に対応した略Ｌ字状に形成され、前記嵌合部として前記何れかの框に形成された溝部に挿入可能なスライド部および前記係合受部に対応した位置に係合突部が形成され、
前記スライド部が前記溝部に挿入され、前記係合突部が前記係合受部に係合もしくは当接することで、当該接続部材と前記縦框または横框との相対移動が規制されるように構成されている発明が含まれている。
【００５８】
上記のような発明によれば、横框または縦框の何れかの框に長手方向に沿った溝部形成され、接続部材は略Ｌ字状に形成され前記嵌合部として前記横框または縦框に形成された溝部に挿入可能なスライド部が形成されているため、溝部にスライド部を挿入することで容易に横框または縦框に接続部材を装着できるとともに、横框または縦框の何れかに係合受部を設け接続部材に係合受部に対応した係合突部を設けているため、簡単な構造で接続部材の下方または上方及び前後左右方向への相対移動を規制することができる。
【００５９】
さらに、上記実施形態には、前記横框または縦框の何れかの框は、端部に前記被嵌合部として挿通孔を備え、前記接続部材は、接合される前記横框または縦框に形成された前記挿通孔に挿通可能な突出部を備え、前記挿通孔に前記突出部が挿通するように、対応する前記横框または縦框に前記接続部材を取り付けることで、当該接続部材と前記横框または縦框との相対移動が規制されるように構成されている発明が含まれている。
そして、かかる発明によれば、横框または縦框の何れかの框に被嵌合部としての挿通孔が設けられ、接続部材には、接合される横框または縦框に形成された前記挿通孔に挿通可能な突出部が設けられ、挿通孔に突出部が挿通するように、対応する横框または縦框に接続部材を取り付けることで、接続部材および対応する横框または縦框との相対移動が規制されるので、簡単な構造で接続部材とこれに接続される框の相対移動を規制することができる。
【００６０】
さらに、上記実施形態には、前記前面枠を開閉可能に支持するとともに、前記機枠を構成する前記横框と前記前面枠の開閉支点側の縦框との接合部を被覆可能なヒンジ部材を備え、前記ヒンジ部材は、前記横框および前記前面枠の開閉支点側の縦框のそれぞれと接合される部位に止着部材挿通孔が形成され、前記機枠の上下の横框と左右の縦框とを前記複数の接続部材により接合した状態で、前記ヒンジ部材によって前記接合部を被覆して、前記ヒンジ部材の前記止着部材挿通孔および該止着部材挿通孔に対応して前記横框および縦框に設けられている取付孔に止着部材を挿通させ、該止着部材を前記接続部材に設けられている止着孔に止着することで、前記ヒンジ部材と前記横框または縦框と前記接続部材とが一体に接合されるように構成されている発明が含まれている。
【００６１】
このような発明によれば、１つの止着部材をヒンジ部材と外枠の框と接続部材とに挿通して止着することで、ヒンジ部材と横框または縦框と接続部材とが一体に接合される構成であるので、ヒンジ部材と外枠の框と接合する止着部材およびと接続部材と外枠の框と接合する止着部材とを別個に設ける場合に比べて、必要な止着部材（固定ネジ）の数を減らすことができる。また、横框と縦框との接合部をヒンジ部材で被覆するようにして接合する構造であるため、ヒンジ部材が接続部材による接合状態を補強する機能を有することになり、横框と縦框との接合状態（固着状態）をより強固なものとすることができ、外枠の組み付け状態を長期間にわたって維持することが可能となり、耐久性が向上する。
【００６２】
さらに、上記実施形態には、前記ヒンジ部材には、前記機枠を構成する上側の横框と前記前面枠の開閉支点側の縦框の接合部を被覆可能な第１ヒンジ部材と、前記機枠を構成する下側の横框と前記前面枠の開閉支点側の縦框の接合部を被覆可能な第２ヒンジ部材とがあり、前記機枠を構成する下側の横框の前面に装着される幕板の一部が前記第２ヒンジ部材に固定されるように構成されている発明が含まれている。
このような発明によれば、機枠を構成する下側の横框の前面に装着される幕板の一部を第２ヒンジ部材に固定させる構成とすることによって、幕板を固定するためのネジの本数および組み付け工程を減らすことができる。
【００６３】
（変形例）
次に、上記実施形態の遊技機の変形例を、図２０〜図２２を用いて説明する。なお、図２２（Ｂ）は、図２２（Ａ）におけるＤ−Ｄ線に沿った断面を示している。
前述した実施形態では遊技機の外枠１１０を島設備に固定する方法として、外枠を構成している下横枠部材１１１と上横枠部材１１２に直接釘を打ち込んで固定する方法を用いている。これに対し、本変形例は、図２０、図２１に示すように、ブラケット１１８Ｃ，１１８Ａ（１１８Ｂ，１１８Ｄも同様）の水平片部を長くしてダボ１１８ｃの位置を少し枠の中央寄りへ移動するとともに、ダボ１１８ｃおよびブラケットの水平片部には貫通孔１１８ｇを形成する。貫通孔１１８ｇの径は、固定用の釘の径と同一もしくはよりも少し大きくかつ釘の頭の径よりも小さく設定する。
そして、図２０に示すように、ブラケット１１８Ｃ（１１８Ｄも同様）にそれぞれ設けられているダボ１１８ｃに下横枠部材１１１のダボ挿通孔１１１ｅを係合させた状態で、ダボ１１８ｃの貫通孔１１８ｇに固定用の釘１５３ａを挿通させ、島設備の下方取付板１２（図２参照）に打ち込む。
【００６４】
また、ブラケット１１８Ａおよび１１８Ｂに関しては、図２１に示すように、上ヒンジ部材１１４Ａにもブラケット１１８Ａに設けられているダボ１１８ｃに対応した位置にダボ挿通孔１１４ｅ（もしくは釘挿通孔）を設け、ブラケット１１８Ａおよび１１８Ｂに設けられているダボ１１８ｃに対応した上横枠部材１１２のダボ挿通孔１１１ｅを係合させた状態で、ダボ１１８ｃの貫通孔１１８ｇに固定用の釘１５３ｂを挿通させ、島設備の桟木１３に打ち込む。
これにより、図２２（Ｂ）に示すように、外枠１１０を島設備の下方取付板１２と桟木１３に固定することができるとともに、下横枠部材１１１や上横枠部材１１２に釘を打ち込むことに伴う損傷の発生を防止することができるという利点がある。また、この変形例では、上ヒンジ部材１１４Ａにもダボ挿通孔１１４ｅを設けているため、ダボを介した釘打ちにより上ヒンジ部材１１４Ａと上横枠部材１１２とブラケット１１８Ａとをより強固に接合することができる。なお、上ヒンジ部材１１４Ａの水平片部は短くして、他の接合部と同様に固着用の釘が挿通されないようにしてもよい。
【００６５】
以上の説明から、上記変形例には、接続部材としてのブラケットに突出部としてのダボが設けられ、横框としての上横枠部材に前記接続部材の前記突出部が挿通可能な挿通孔が設けられ、前記接続部材の前記突出部には当該遊技機を島設備に固定するための固定用の釘が挿通可能な貫通孔が形成されている発明が含まれることが分かる。
そして、このような発明によれば、横框に形成された挿通孔に接続部材の突出部を挿通することで横框に接続部材が接合される上、該突出部には遊技機を島設備に固定するための固定用の釘が挿通可能な貫通孔が形成されているため、横框に接続部材を接合した後に該貫通孔に固定用の釘を挿通して島設備側の上横固定部材や下横固定部材に釘の先端を打ち込むことによって、機枠を島設備に固定することができ、接続部材と横框との接合をより強固なものとすることができるとともに、島設備への機枠の取り付けも容易となる。
【００６６】
（第２の実施形態）
次に、本発明の第２の実施形態を、図２３〜図２９を用いて説明する。
第２の実施形態は、第１の実施形態における外枠１１０を構成している木製の長板状の上横枠部材１１２の代わりに、遊技機の前後の傾き（ねかせ）を調整可能にするスライド構造を内蔵した外枠上横框体１１９を用いたものである。図２４〜図２６には、外枠上横框体１１９の構造の詳細が示されている。
【００６７】
図２４に示すように、外枠上横框体１１９は、断面が矩形の筒状をなす金属製の上框本体（スライドベース部材）１９１と、上框本体（スライドベース部材）１９１内に収納される横長のスライド部材（固定部材）１９２と、一対の調整用ネジ１９３と、該調整用ネジ１９３の先端に嵌合されてネジが外れないように止める一対の外れ止め鋲１９４を備える。
【００６８】
上記スライド部材（固定部材）１９２は、島設備の桟木１３に固定されるもので、その材質は圧縮強度の高いものであればどのようなものでもよいが、木製とすることにより従来と同様に釘によって桟木１３に固定することが可能となる。また、スライド部材（固定部材）１９２は合成樹脂や金属材料で形成することも可能である。上框本体１９１は、釘打ちによるスライド部材（固定部材）１９２の固定を可能にするため上面壁と下面壁にそれぞれ横長矩形状の開口１９１ａ，１９１ｂが形成されている。スライド部材（固定部材）１９２は、上面に開口１９１ａよりも小さな凸状部１９２ａが形成され、スライド部材（固定部材）１９２を上框本体（スライドベース部材）１９１内に挿入した時に該凸状部１９２ａが開口１９１ａ内に収まるように構成されている。
【００６９】
また、凸状部１９２ａの高さは上框本体１９１の上面壁の厚みよりも若干大きくなるように設定されている。さらに、スライド部材（固定部材）１９２の前端および後端には上記調整用ネジ１９３が挿通される一対のネジ挿通孔１９２ｂ、またスライド部材１９２の上面および下面には固定用の釘が挿通される複数（図２４では４個）の釘挿通孔１９２ｃが設けられている。
【００７０】
上框本体（スライドベース部材）１９１の前壁には上記調整用ネジ１９３が挿通される一対のネジ挿通孔１９１ｃが、また上框本体（スライドベース部材）１９１の後端には球補給機の部品との干渉を防止するための切欠き部１９１ｄが設けられている。さらに、図２５に示すように、上框本体１９１の左右両端には、前記実施形態で説明したブラケット１１８Ａ，１１８Ｂに設けられているダボ１１８ｃと係合可能なダボ挿通孔１９１ｅ，１９１ｆが形成されている。ブラケット１１８Ａ，１１８Ｂを用いた上框本体１９１と縦枠部材１１３Ａ，１１３Ｂとの接合の仕方は第１の実施形態と同様であるので、同一の部位および同一の部品には同一の符号を付して説明は省略する。
【００７１】
外枠上横框体１１９内のスライド構造は、図２６（Ａ）に示すように、スライド部材（固定部材）１９２内にスリット１９２ｄが形成され、該スリット１９２ｄ内に雌ネジ穴を有する金属製の可動ピース１９５が挿入されており、該可動ピース１９５に上記調整用ネジ１９３が螺合されている。すなわち、上記調整用ネジ１９３が送りネジの働きを有しており、調整用ネジ１９３を回すと回転方向に応じて前記可動ピース１９５がネジの軸方向に前進または後退し、可動ピース１９５の移動に応じてこれを保持するスライド部材（固定部材）１９２が相対的に移動されるように構成されている。図２６（Ｂ）には、スライド機造の変形例が示されている。この変形例は、スライド部材１９２の端部に上框本体１９１の内部空間の高さとほぼ同一の厚みを有するスペーサ１９８を固着し、このスペーサ１９８が上框本体１９１の上壁と下壁に接した状態で前後にスライドすることでスライドベース部材１９１が移動するようにしたものである。
【００７２】
つまり、スライド部材（固定部材）１９２は島設備の桟木に固定されるため、調整用ネジ１９３を回すとスライド部材（固定部材）１９２ではなく上框本体（スライドベース部材）１９１の方が移動する。そして、上框本体（スライドベース部材）１９１が移動すると、外枠１１０は下端を支点として回動して全体が前後に傾くこととなる。なお、外枠１１０が傾くことができるようにするため、例えば、外枠下部のブラケット１１８ＣおよびＤ１１８に形成されているスライドレール１１８ｆと縦枠部材１１３Ａ，１１３Ｂのスライド溝１１３ａ，１１３ｂとの隙間を、上部のブラケットの溝の隙間よりも若干大きく設定しておくことが考えられる。また、下横枠部材にも、上横枠部材としての外枠上横框体１１９と同様のスライド構造を設けてもよい。さらに、上框本体１９１が移動する際のスライド部材（固定部材）１９２との摩擦抵抗を減らすため、例えば図２７（Ａ）に示すように、スライド部材（固定部材）１９２の下面と上框本体１９１の底壁上面との間に、合成樹脂などからなる板状のバネ１９６を介在させておくのが望ましい。
【００７３】
次に、上記外枠上横框体１１９のスライド構造による作用について、図２７〜図２９を用いて説明する。
このうち図２７は外枠上横框体１１９に対してスライド部材（固定部材）１９２を最も後方へ移動させた状態を、また図２８は外枠上横框体１１９に対してスライド部材（固定部材）１９２を最も前方へ移動させた状態をそれぞれ示す。なお、図２７（Ｂ）は図２７（Ａ）のＢ−Ｂ線に沿った断面平面図、図２８（Ｂ）は図２８（Ａ）のＢ−Ｂ線に沿った断面平面図である。図２９（Ａ）および（Ｂ）には、図２７（Ａ）および図２８（Ａ）に対応する断面図が示されている。
【００７４】
図２７（Ｂ）および図２８（Ｂ）において、符号１９２ｃが付されているのは固定用の釘の挿通孔、図２９（Ａ）および（Ｂ）において、符号１３が付されているのは島設備の桟木、また破線１９７で示されているのは固定用の釘である。調整用ネジ１９３の先端には、ネジが外れないように止める一対の外れ止め鋲１９４が嵌合され、調整用ネジ１９３のネジ部には、スライド部材（固定部材）１９２内に保持されている可動ピース１９５が螺合されている。また、スライド部材（固定部材）１９２の下面と上框本体１９１の底壁上面との間に、合成樹脂などからなる板状のバネ１９６が介挿されている。図２９（Ａ）および（Ｂ）より、調整用ネジ１９３を回すと上框本体１９１の方が移動することが分かる。
【００７５】
以上の説明から、上記第２実施形態には、機枠の横框のうち上側の横框（上横枠部材）または下側の横框（下横枠部材）の少なくとも一方には、島設備に対する固定機構が設けられ、該固定機構は、前記機枠を島設備の前記上横固定部材または下横固定部材に固定させるための固定部材（スライド部材）と、接続部材としてのブラケットによって前記横框に接合され、前記固定部材を該固定部材の前記上横固定部材または下横固定部材に面する部位が臨む開口を有し、該固定部材を内部に収納するスライドベース部材と、前記固定部材が島設備の前記上横固定部材または下横固定部材に固定された状態で前記スライドベース部材（上框本体）を前記固定部材に対して前後方向にスライドさせる前後位置調整機構と、を備え、該前後位置調整機構の前後位置調整により前記機枠の寝かせ角度を調整可能とした発明が含まれることが分かる。
【００７６】
そして、上記発明によれば、固定部材（スライド部材）が島設備の前記上横固定部材または下横固定部材に固定された状態で前記スライドベース部材を前記固定部材に対して前後方向にスライドさせる前後位置調整機構を備えるため、機枠が複数の遊技機に共用される場合に、機枠の傾斜をこれに取り付けられる遊技機に適した寝かせ角度に調整できる。
【００７７】
また、上記第２実施形態には、前記前後位置調整機構は、前記スライドベース部材側に回転可能に設けられた雄ネジ軸と、該雄ネジ軸に螺合し前記固定部材側に前後方向の相対移動が禁止された状態で設けられた雌ネジ部材（可動ピース）とを備え、前記雄ネジ軸を回転させて前記雌ネジ部材との螺合部位を変化させて、前記スライドベース部材を前記固定部材に対して前後方向に移動させることで前記機枠の寝かせ角度を調整可能に構成されている発明が含まれている。
上記のような発明によれば、雄ネジ軸を回転させて雌ネジ部材との螺合部位を変化させて、スライドベース部材を固定部材に対して前後方向に移動させることで機枠の寝かせ角度を調整できるため、寝かせ角度の調整作業を容易に行うことができる。
【００７８】
さらに、上記第２実施形態には、前記前面枠の裏面側に、遊技球を払い出し可能な球払出装置と、島設備側から供給される遊技球を前記球払出装置へ供給するために貯留する有底箱体状の球貯留タンクと、が設けられ、前記上側の横框に前記固定機構が設けられ、前記スライドベース部材の後縁には、前記球貯留タンクの取り付け位置に対応して切欠部が形成されているように構成されている発明が含まれている。
そして、上記のような発明によれば、スライドベース部材の後縁には、球貯留タンクの取り付け位置に対応して切欠部が形成されているため、機枠の寝かせ調整を行っても、球貯留タンクの上方は必ず開放されることとなり、島設備側の球補給装置からの球補給を容易且つ確実に行うことができる。
【００７９】
以上本発明者によってなされた発明を実施形態に基づき具体的に説明したが、今回開示した実施形態は、全ての点で例示であって制限的なものではない。例えば、前記実施形態においては、調整用ネジ１９３とスライド部材１９２内に保持されている可動ピース１９５とからなる送りネジ方式で前面枠の傾き（ねかさ）を調整するようにしたものを説明したが、カムあるいは楔を用いて前面枠の傾き（ねかさ）を調整するように構成してもよい。
【００８０】
また、前記実施形態においては、接続部材としてのブラケット１１８Ａ〜１１８Ｄの垂直片部にスライドレール部を設け、縦枠部材（縦框）１１３Ａ，１１３Ｂにスライドレール部と挿入嵌合可能なスライド溝を設けているが、嵌合部としてのスライドレール部と被嵌合部としてのスライド溝との関係は逆であってもよい。さらに、前記実施形態においては、下横枠部材（横框）１１１を木製としているが金属製としてもよい。そして、その場合、ブラケット１１８Ｃ，１１８Ｄの水平片部にダボの代わりにスライドレール部を設け、下横枠部材（横框）１１１に該スライドレール部と挿入嵌合可能なスライド溝を設けるようにしても良い。
【００８１】
また、第２の実施形態においては、ブラケット１１８Ａ，１１８Ｂの水平片部にダボを設けているが、ダボの代わりにスライドレール部を設け、横框としての上框本体１９１に上記スライドレール部と挿入嵌合可能なスライド溝を設けるようにしても良い。要するに、嵌合部と被嵌合部は横框または縦框とブラケットのいずれに設けてもよいし、嵌合部と被嵌合部は、スライドレール部とスライド溝でもよいし、ダボとダボ挿通孔、あるいはこれらと同等の嵌合構造を有するであればどのようなものであってもよい。
【００８２】
さらに、以上の説明では本発明をパチンコ遊技機に適用した場合を例にとって説明したが、本発明はパチンコ遊技機に限定されず、アレンジボール遊技機、雀球遊技機など遊技球を使用する他の遊技機にも適用可能である。
【符号の説明】
【００８３】
１０  島設備
１２  下方取付板（下横固定部材）
１３  桟木（上横固定部材）
１００  遊技機
１１０  外枠（機枠）
１１１  下横枠部材（横框）
１１１ｅ  ダボ挿通孔（係合受部）
１１２  上横枠部材（横框）
１１２ｅ  ダボ挿通孔（被嵌合部）
１１３Ａ，１１３Ｂ  縦枠部材（縦框）
１１３ａ，１１３ｂ  スライド溝（被嵌合部，溝部）
１１３ｃ  係合受部
１１３ｄ  ネジ挿通孔（取付孔）
１１４Ａ  上ヒンジ部材
１１４Ｂ  下ヒンジ部材
１１４ａ，１１８ｂ  ネジ挿通孔（止着部材挿通孔）
１１８Ａ〜１１８Ｄ  ブラケット（接続部材）
１１８ａ，１１８ｂ  スライドレール部（嵌合部，スライド部）
１１８ｃ  ダボ（嵌合部）
１１８ｅ  係合突部
１１９  外枠上横框体
１９１  上框本体（スライドベース部）
１９１ａ，１９１ｂ  開口
１９２  スライド部材（固定部材）
１９３  調整用ネジ（雄ネジ軸）
１９５  可動ピース（雌ネジ部材）
【図１】
0005498401.tif 000002
【図２】
0005498401.tif 000003
【図３】
0005498401.tif 000004
【図４】
0005498401.tif 000005
【図５】
0005498401.tif 000006
【図６】
0005498401.tif 000007
【図７】
0005498401.tif 000008
【図８】
0005498401.tif 000009
【図９】
0005498401.tif 000010
【図１０】
0005498401.tif 000011
【図１１】
0005498401.tif 000012
【図１２】
0005498401.tif 000013
【図１３】
0005498401.tif 000014
【図１４】
0005498401.tif 000015
【図１５】
0005498401.tif 000016
【図１６】
0005498401.tif 000017
【図１７】
0005498401.tif 000018
【図１８】
0005498401.tif 000019
【図１９】
0005498401.tif 000020
【図２０】
0005498401.tif 000021
【図２１】
0005498401.tif 000022
【図２２】
0005498401.tif 000023
【図２３】
0005498401.tif 000024
【図２４】
0005498401.tif 000025
【図２５】
0005498401.tif 000026
【図２６】
0005498401.tif 000027
【図２７】
0005498401.tif 000028
【図２８】
0005498401.tif 000029
【図２９】
0005498401.tif 000030